(57)【要約】【課題】  従来はクロマ信号が白色であるということを簡単に検出する方法がなく、白信号であることを信号のレベルで判別するとしたら正確なレベル検出を行う必要があるが簡単な構成でＩＣ化に適したレベル検出回路を得るのが難しい、という問題があった。【解決手段】  第１及び第２の色差信号の大きさが所定範囲内であることを検出する第１電圧検出回路（６）、第２電圧検出回路（７）と、該電圧検出回路の出力信号と輝度信号のレベルに応じてブルーストレッチ用の制御信号を発生するブルーストレッチ制御回路（８）と、該ブルーストレッチ制御回路（８）の出力信号に応じて青色信号のレベルを大きくするＢドライブ回路（１７）とを備えることを特徴とする。【選択図】  図１
2007336598.tif 000002
【特許請求の範囲】
【請求項１】
入力信号のレベルが基準電源の基準レベルの所定範囲内である
ことを１つの基準電源を用いて判別するレベル検出回路であって、前記入力信号
のレベルが基準電源の基準レベルよりも小さい場合に判別出力信号を発生する第
１の比較部と、前記入力信号のレベルが基準電源の基準レベルよりも大きい場合
に判別出力信号を発生する第２の比較部とを備えることを特徴とするトランジス
タを用いたレベル検出回路。
【請求項２】
前記第１及び第２の比較部は、エミッタが共通接続されたトラ
ンジスタからなる差動増幅器で構成されることを特徴とする請求項１記載のレベ
ル検出回路。
【請求項３】
前記差動増幅器のエミッタには電流源が接続され、該電流源の
電流値により前記所定範囲が変化することを特徴とする請求項２記載のレベル検
出回路。
【請求項４】
入力信号のレベルが基準電源の基準レベルの所定範囲内である
ことを１つの基準電源を用いて判別するレベル検出回路であって、前記入力信号
がベースに印加されエミッタが共通接続された第１及び第２トランジスタと、前
記基準電源の基準レベルがベースに印加されエミッタが共通接続された第３及び
第４トランジスタと、前記第１乃至第４トランジスタのエミッタに電流を流す電
流源と、コレクタが前記第１トランジスタのコレクタに接続されたダイオード接
続型の第５トランジスタと、ベースが前記第５トランジスタのベースに接続され
エミッタが前記第３トランジスタのコレクタに接続された第６トランジスタと、
コレクタが前記第４トランジスタのコレクタに接続されたダイオード接続型の第
７トランジスタと、ベースが前記第７トランジスタのベースに接続されエミッタ
が前記第２トランジスタのコレクタに接続された第８トランジスタとを備え、前
記第６及び第８トランジスタのコレクタより判別出力信号を得ることを特徴とす
るレベル検出回路。
【発明の詳細な説明】
【技術分野】
【０００１】
本発明は、ＴＶ受像機で白色を鮮やかにするブルーストレッチ回路に関するも
ので、特に入力信号のレベルが基準電源の基準レベルの所定範囲内であることを
１つの基準電源を用いて判別できるレベル検出回路に関する。
【背景技術】
【０００２】
ＴＶ受像機に白を表示する場合、画面で見て色が鮮やかな白にならず黄色みが
かった白に見える場合がある。そのような場合、Ｒ（赤）Ｇ（緑）Ｂ（青）の原
色信号の内、青色を強調して画面に表示すると黄色の色が消えて鮮やかな白に見
えることが知られている。
【０００３】
そこで、受信している色信号が白であることを自動検出して青色を強調するブ
ルーストレッチ回路が採用され始めている。青色の強調は、青色の信号増幅を行
うＢドライブ回路の増幅率を上げるようにすればよい。
【発明の開示】
【発明が解決しようとする課題】
【０００４】
しかしながら、従来のブルーストレッチ回路では到来しているクロマ信号が白信号であることを信号のレベルで判別するとしたら正確なレベル検出を
行う必要があるが簡単な構成でＩＣ（集積回路）化に適したレベル検出回路を得
るのが難しい、という問題があった。
【課題を解決するための手段】
【０００５】
本発明のレベル検出回路は、入力信号のレベルが基準電源の基準レベル
の所定範囲内であることを１つの基準電源を用いて判別するレベル検出回路であ
って、前記入力信号のレベルが基準電源の基準レベルよりも小さい場合に判別出
力信号を発生する第１の比較部と、前記入力信号のレベルが基準電源の基準レベ
ルよりも大きい場合に判別出力信号を発生する第２の比較部とを備えることを特
徴とする。
【発明の効果】
【０００６】
本発明によれば、一つの基準レベルで基準レベルの近傍範囲をレベル判
定できるので、ＩＣ化の際の素子バラツキなどで上限と下限の判定レベルが変動
することがない。すなわち、ＩＣ化に際し、基準レベルの絶対値は変化しても上
限と下限の差は変動しない。
【０００７】
また、本発明によれば、一つの基準レベルで良いので基準電源も１つで済み、
素子数が増えない。
【０００８】
また、本発明によれば、電圧検出の判定レベルを差動増幅器の動作電流源の値
を変えるだけで簡単に変えることができる。
【発明を実施するための最良の形態】
【０００９】
次に、図１を参照しながら本発明の実施の形態について説明する。図１は、Ｔ
Ｖ受像機の色信号処理回路に配置された本発明のブルーストレッチ回路を示す。
【００１０】
１は入力端子２からのクロマ信号を増幅するクロマアンプ、３はクロマアンプ
１からのクロマ信号からＢ−Ｙ信号成分を復調するＢ−Ｙ復調器、４はクロマア
ンプ１からのクロマ信号からＲ−Ｙ信号成分を復調するＲ−Ｙ復調器である。
【００１１】
また、５はＢ−Ｙ復調器３からのＢ−Ｙ信号成分が所定レベル以下であること
を検出する第１電圧検出回路６（図示せず）とＲ−Ｙ復調器４からのＲ−Ｙ信号
成分が所定レベル以下であることを検出する第２電圧検出回路７（図示せず）と
を含みクロマ信号がブルーストレッチをかけるべき白信号であることを検出する
電圧検出回路、８は電圧検出回路５の出力信号と端子９からの輝度信号（Ｙ）と
に応じてブルーストレッチ用の制御信号を発生するブルーストレッチ制御回路で
ある。
【００１２】
また、１０は入力端子１１からの輝度信号（Ｙ）の増幅やシャープネスなどを
行う輝度信号処理回路、１２はＲ−Ｙ信号とＢ−Ｙ信号からＧ−Ｙ信号、Ｒ−Ｙ
信号、Ｂ−Ｙ信号を作るマトリクス回路、１３は輝度信号処理回路１０からの輝
度信号とマトリクス回路１２からのＧ−Ｙ信号、Ｒ−Ｙ信号、Ｂ−Ｙ信号からＲ
ＧＢの３つの原色信号を作る混合回路である。
【００１３】
また、１４はＲＧＢの３つの原色信号のコントラスト調整を行うコントラスト
回路、１５乃至１７はコントラスト調整されたＲＧＢの３つの原色信号の電力増
幅を行うＲ、Ｇ，Ｂドライブ回路である。
【００１４】
次に、図１に示した回路の動作を説明する。復調用キャリア発生回路１８は９
０度移相器１９を使用してＢ−Ｙ復調器３とＲ−Ｙ復調器４に互いに位相が９０
度異なるキャリア信号を印加する。このため、Ｂ−Ｙ復調器３とＲ−Ｙ復調器４
は各々の色差信号を復調し、復調出力（Ｂ−Ｙ信号、Ｒ−Ｙ信号）を電圧検出回
路５に印加する。電圧検出回路５は、受信信号が白信号であることをＢ−Ｙ信号
及びＲ−Ｙ信号のレベルに応じて判別する。
【００１５】
その動作を図２及び図３を用いて説明する。図２はＢ−Ｙ信号軸とＲ−Ｙ信号
軸を用いた色差信号のベクトル図である。本発明では図２の斜線の部分を白信号
領域であると検出する。そのために図３（ａ）に実線で示すＢ−Ｙ信号の内、一
点鎖線領域内のレベルでありかつ図３（ｂ）に実線で示すＲ−Ｙ信号の内、一点
鎖線領域内のレベルである信号を検出するようにしている。その電圧検出回路５
の一例を図４に示す。電圧検出回路５はＢ−Ｙ信号成分が一点鎖線レベル以下で
あることを検出する第１電圧検出回路６とＲ−Ｙ信号成分が一点鎖線レベル以下
であることを検出する第２電圧検出回路７と、第１電圧検出回路６と第２電圧検
出回路７の反転出力信号の論理積を取るアンドゲート２５と、前記電圧検出回路
６，７の基準レベルを定める基準電源２６を備える。
【００１６】
第１電圧検出回路６は、Ｂ−Ｙ信号が基準電源２６の電圧Ｖｒｅｆよりも±α
の範囲内であればＬレベルの信号を発生する。この±αの範囲内とは図３の一点
鎖線領域内と同じである。第２電圧検出回路７も同一の動作でＬレベルの信号を
発生する。
【００１７】
そのため、図２の斜線の部分の信号が到来しているとアンドゲート２５からＨ
レベルの制御信号が出力端子２７に発生する。図２の斜線は正方形であるので基
準電源２６の電圧を電圧検出回路６，７に加えたが長方形であれば異なるレベル
の２つの基準電源を用意して電圧検出回路６，７に加えればよい。
【００１８】
従って図１の電圧検出回路５によれば白信号の検出が可能である。
【００１９】
図１の電圧検出回路５からのＨレベルの信号はブルーストレッチ制御回路８に
印加される。ブルーストレッチ制御回路８は、輝度信号のレベルが４０ＩＲＥ以
上であり、電圧検出回路５からＨレベルの信号が印加されるとブルーストレッチ
を行うと判断しＢドライブ回路１７の増幅率を上げる。
【００２０】
一方、輝度信号Ｙは輝度信号処理回路１０、混合回路１３、コントラスト回路
１４を介してＲＧＢの原色信号に変換されＲ，Ｇ，Ｂドライブ回路１５乃至１７
に印加される。その結果、出力端子３０、３１、３２の原色信号を用いればブル
ーストレッチ機能による鮮やかな白が画面に表示できる。
【００２１】
次に図４に、第１電圧検出回路６と第２電圧検出回路７の具体的な回路例を示
す。第１電圧検出回路６と第２電圧検出回路７は、基準電源２６の電圧Ｖｒｅｆ
よりもわずかにずれている±αの範囲内を検出するものである。そのため、非常
に判別感度が高いものが必要となる。この電圧検出回路は、ある範囲内を検出す
るものであるから２つの基準レベルを使用してウインドコンパレータを用いるこ
とが一般に考えられる。しかし、判別感度が高いと２つの独立した基準電源のレ
ベルを正確に作るのは大変手間がかかる。そこで、本発明では単一の基準電源を
用いて電圧Ｖｒｅｆよりもわずかにずれている±αの範囲内を検出するものを考
えた。
【００２２】
図５に、係る電圧のレベル検出回路の具体回路例を示す。入力信号がベースに
印加されエミッタが共通接続された第１及び第２トランジスタ４０、４１と、基
準電源２６の基準レベルがベースに印加されエミッタが共通接続された第３及び
第４トランジスタ４２，４３と、前記第１乃至第４トランジスタ４０乃至４３の
エミッタに電流を流す電流源４４と、コレクタが前記第１トランジスタ４０のコ
レクタに接続されたダイオード接続型の第５トランジスタ４５と、ベースが前記
第５トランジスタ４５のベースに接続されエミッタが前記第３トランジスタ４２
のコレクタに接続された第６トランジスタ４６と、コレクタが前記第４トランジ
スタ４３のコレクタに接続されたダイオード接続型の第７トランジスタ４７と、
ベースが前記第７トランジスタ４７のベースに接続されエミッタが前記第２トラ
ンジスタ４１のコレクタに接続された第８トランジスタ４８とを備え、第６及び
第８トランジスタ４６，４８のコレクタに接続された出力端子４９より出力信号
を得る構成である。図５の回路動作を図６の入力電圧と出力電流の関係を示す特
性図を参照しながら説明する。図５の入力端子５０のレベルは図６の横軸に示さ
れ、
出力端子４９に流れる電流は図６の縦軸に示される。入力端子５０のレベルが  
図６のＶｒｅｆ―αであるとすると第１及び第２トランジスタ４０、４１のコレ
クタ電流は小、第３及び第４トランジスタ４２、４３のコレクタ電流は大となる
。すると、第６トランジスタのベース電圧は上がり、エミッタ電圧は下がるので
第６トランジスタはオフ傾向でありそのコレクタには電流が図６に示されるよう
に流れない。一方、第８トランジスタのベース電圧は下がり、エミッタ電圧は上
がるので第６トランジスタはオン傾向でありそのコレクタには電流が図６に示さ
れるように流れる。
【００２３】
この時、第６トランジスタ４６と第８トランジスタ４８は、ベース・エミッタ
間電圧がベース、エミッタの双方から狭められたり広げられたりするのでそのオ
ンオフの変化の度合いが通常のトランジスタ動作に比べて早くなる。つまり、入
力端子５０のレベルが電圧Ｖｒｅｆよりわずかでも高くまたは低くなると第６ト
ランジスタ４６と第８トランジスタ４８は反転し始める。その反転の強さは電流
源４４の電流値を変えて第１乃至第４トランジスタ４０乃至４３のエミッタ内部
抵抗ｒｅの値を変えることで変化させられる。
【００２４】
この状態から入力端子５０のレベルが図６のＶｒｅｆ＋αに向かい上昇すると
、第６トランジスタ４６のベース・エミッタ間電圧は広がりそのコレクタ電流は
増加する。逆に、第８トランジスタ４８のベース・エミッタ間電圧は狭まりその
コレクタ電流は低下する。
【００２５】
従って、出力端子４９に流れる電流で考えると、図６のＵ字型の出力電流が得
られる。図６から分かるように入力信号のレベルが基準電源２６の基準レベルよ
りも小さい場合には判別出力信号（電流）が第１の比較部として動作する第８ト
ランジスタから発生する。また、入力信号のレベルが基準電源２６の基準レベル
よりも大きい場合には判別出力信号（電流）が第２の比較部として動作する第６
トランジスタから発生する。
【００２６】
図７は図６をマクロで描いた特性図である。図７から分かるように図５の回路
は基準電圧Ｖｒｅｆ付近の電圧の時に出力電流が急速に低下し、これにより基準
電圧Ｖｒｅｆ近傍のレベル検出が可能となる。
【００２７】
従って、図５のレベル検出回路を図４の電圧検出回路に適用すれば、１つの基
準レベルで正確に白信号の検出が可能となる。
【図面の簡単な説明】
【００２８】
【図１】本発明の実施形態に係るブルーストレッチ回路のブロック図である。
【図２】本発明の実施形態に係る色差信号のベクトル図である。
【図３】本発明の実施形態に係る色差信号の波形とレベル検出範囲の関係を示す図である。
【図４】図１の電圧検出回路５の内部ブロックを示す図である。
【図５】図４の電圧検出回路の具体的な回路例を示す図である。
【図６】図５の電圧検出回路の出力電流波形を示す図である。
【図７】図６の出力電流波形をマクロに描いた波形図である。
【符号の説明】
【００２９】
３    Ｂ−Ｙ復調器
４    Ｒ−Ｙ復調器
５    電圧検出回路
６    第１電圧検出回路
７    第２電圧検出回路
８    ブルーストレッチ制御回路
１７  Ｂドライブ回路
２６  基準電源
４０、４１，４２，４３  第１乃至第４トランジスタ
４５，４６，４７，４８  第５乃至第８トランジスタ
【図１】
2007336598.tif 000003
【図２】
2007336598.tif 000004
【図３】
2007336598.tif 000005
【図４】
2007336598.tif 000006
【図５】
2007336598.tif 000007
【図６】
2007336598.tif 000008
【図７】
2007336598.tif 000009